(57)【要約】【課題】光ファイバが絡まることなくスムーズに容器内に収容され、ダクト部分での詰まりが生じない光ファイバ吸引装置と吸引方法を提供する。【解決手段】光ファイバ１を端末処理する際に、光ファイバを吸引ノズル１２で吸引し、ダクト１３を介して連結された容器本体１１内に光ファイバを一時的に収容するものであって、容器本体となるファイバ収容室１１ｃを円柱状とし、該ファイバ収容室の壁面の接線方向に吸引エアーを導入し、光ファイバをファイバ収容室の壁面に沿ってスパイラル状に吸引して収容する。なお、前記のダクト１３は、可撓性および導電性を有していることが好ましい。【選択図】図２
2011075961.tif 000002
【特許請求の範囲】
【請求項１】
光ファイバを端末処理する際に、前記光ファイバを吸引ノズルで吸引し、ダクトを介して連結された容器本体内に前記光ファイバを一時的に収容する光ファイバ吸引装置であって、
前記容器本体は円柱状のファイバ収容室を有し、前記ダクトが前記ファイバ収容室への吸引エアーの吸引口となり、前記ファイバ収容室の壁面の接線方向に沿うように前記吸引エアーの導入口が形成されていることを特徴とする光ファイバ吸引装置。
【請求項２】
前記ダクトは、可撓性および導電性を有していることを特徴とする請求項１に記載の光ファイバ吸引装置。
【請求項３】
光ファイバを端末処理する際に、前記光ファイバを吸引ノズルで吸引し、ダクトを介して連結された容器本体内に前記光ファイバを一時的に収容する光ファイバ吸引方法であって、
前記容器本体となるファイバ収容室を円柱状とし、前記ファイバ収容室の壁面の接線方向に吸引エアーを導入し、前記光ファイバを前記ファイバ収容室の壁面に沿ってスパイラル状に吸引して収容することを特徴とする光ファイバ吸引方法。
【発明の詳細な説明】
【技術分野】
【０００１】
本発明は、光ファイバの線引き、着色時の巻取り等で光ファイバが切断した際に、光ファイバを一時的に溜める光ファイバ吸引装置および光ファイバ吸引方法に関する。
【背景技術】
【０００２】
光ファイバをボビンに巻取っている際に光ファイバが断線したような場合などでは、光ファイバは繰り出しボビンが停止するまで繰り出され続けるため、これを吸引処理する装置が必要となる。例えば、特許文献１に記載のスクリーニング装置では、この吸引装置がキャプスタン等の引取り手段の後ろ側に設置され、繰り出される光ファイバを吸引処理することにより余分となる光ファイバが、設備のパスライン上に残るのを防止し、次の巻取りのための自動線掛けを可能としている。
【先行技術文献】
【特許文献】
【０００３】
【特許文献１】特開平５−１９３９７６号公報
【発明の概要】
【発明が解決しようとする課題】
【０００４】
光ファイバ吸引装置は、光ファイバを吸引する吸引ノズルと吸引した光ファイバを溜めておく容器とをダクトで繋いでいるが、このダクト内に吸い込まれた光ファイバが絡まるなどしてうまく容器内に収容されないと、ダクト内で光ファイバが詰まり、以後の吸引ができなくなるという問題があった。
【０００５】
本発明は、上述した実情に鑑みてなされたもので、光ファイバが絡まることなくスムーズに容器内に収容され、ダクト部分での詰まりが生じない光ファイバ吸引装置と吸引方法の提供を目的とする。
【課題を解決するための手段】
【０００６】
本発明による光ファイバ吸引装置および吸引方法は、光ファイバを端末処理する際に、光ファイバを吸引ノズルで吸引し、ダクトを介して連結された容器本体内に光ファイバを一時的に収容するものであって、前記の容器本体となるファイバ収容室を円柱状とし、該ファイバ収容室の壁面の接線方向に吸引エアーを導入し、光ファイバをファイバ収容室の壁面に沿ってスパイラル状に吸引して収容するようにしたものである。なお、前記のダクトは、可撓性および導電性を有していることが好ましい。
【発明の効果】
【０００７】
本発明の光ファイバ吸引装置および吸引方法によれば、容器本体内の円柱内壁面に沿ってスパイラル状の気流が生じるため、吸引された光ファイバは、その気流に乗って上方から下方に向かって絡まることなくスムーズに収容される。この結果、ダクト部分での詰まりもなくなり、人の手を掛けずに以降の巻取りを連続的に行なうことができる。
【図面の簡単な説明】
【０００８】
【図１】光ファイバを吸引装置を用いて処理する装置の一例を説明する図である。
【図２】本発明による光ファイバ吸引装置を説明する図である。
【発明を実施するための形態】
【０００９】
図１に示す光ファイバに着色を施す例により、光ファイバ巻取り装置の概略を説明する。図１において、１は光ファイバ、２は引取り手段、２ａはキャプスタンホイール、２ｂはキャプスタンベルト、３は張力調整手段、３ａは固定ダンサーローラ、３ｂは可動ダンサーローラ、４は巻取りボビン、５は光ファイバ吸引装置、６ａ〜６ｃはガイドローラを示す。
【００１０】
図１に示すように、繰り出しボビン等から繰り出された光ファイバは、ガイドローラ６ａを経て引取り手段２により引取られる。引取り手段２は、例えば、キャプスタンローラ２ａとキャプスタンベルト２ｂで形成され、光ファイバ１は、ガイドローラ６ｂを経て張力調整手段３に送られる。張力調整手段３は、例えば、固定ダンサーローラ３ａと可動ダンサーローラ３ｂからなり、光ファイバの巻取りに際して所定の張力で巻取ることが出来るように調整される。
【００１１】
光ファイバ吸引装置５は、例えば、引取り手段２とガイドローラ６ｂとの間に配される。光ファイバ吸引装置５は、光ファイバが引取り手段２と巻取りボビン４との間で切断された場合、繰り出しボビンが停止するまでに繰り出される光ファイバを吸引収容し、光ファイバが設備のパスライン上に残らないようにしている。なお、巻取りボビン側の光ファイバを処理するために、巻取りボビン側にも同様な光ファイバ吸引装置を設け、巻取りボビン側でフリーとなった光ファイバを係止するようにしてもよい。
【００１２】
図２は、上述した本発明によるファイバ吸引装置の概略を示すもので、図２において、１１は容器本体部、１１ａはファイバ収容室、１１ｂはエアー排気口、１１ｃは吸引エアーの導入口、１２は吸引ノズル部、１３はダクト、１４は圧縮エアー供給チューブ、１５は接地手段を示す。
【００１３】
光ファイバ吸引装置５は、容器本体部１１と吸引ノズル部１２とをダクト１３で連結して構成される。容器本体部１１は、少なくとも円柱状のファイバ収容室１１ａを有する形状で、金属またはプラスチックにより形成することができる。この容器本体部１１のファイバ収容室１１ａは、ボルト等の突起物を有しない表面が滑らかな円形の壁面で形成されているのが望ましい。このファイバ収容室１１ａの上端には、容器本体内に導入された圧縮エアーを排出するエアー排気口１１ｂが設けられ、該エアー排気口には吸引した光ファイバが外に飛び出ないように金網が貼られている。
【００１４】
容器本体部１１には、圧縮エアーにより吸引された光ファイバをファイバ収容室１１ａに送り出すための吸引エアーの導入口１１ｃが設けられる。この吸引エアーの導入口１１ｃは、ファイバ収容室１１ａの上方部分において、円柱状の内壁面の接線方向に沿うように形成される。吸引エアーの導入口１１ｃを、ファイバ収容室１１ａの円柱状の内壁面の接線方向に沿うように一致させることにより、吸引エアーの導入口１１ｃからファイバ収容室１１ａに導入された光ファイバは、ファイバ収容室１１ａの内壁面に沿うスパイラル状の気流で送り込まれ、光ファイバがファイバ収容室１１ａの内壁面に沿って螺旋状に滑るようにして、ファイバ収容室１１ａ内で絡み合うことなくスムーズに収容することができる。
【００１５】
光ファイバを吸引する吸引ノズル部１２は、エアーガンあるいはワンダーガンと呼ばれている吸引機が用いられる。この吸引機は、光ファイバのパスラインに接近して配置され、光ファイバの切断あるいは破断を検出したときに、直ちに吸引を開始する。この吸引ノズル部１２は、光ファイバを吸引する吸引口を有し、吸引口を負圧にして吸引作用を生じさせるための圧縮エアーを供給する圧縮エアー供給チューブ１４が接続される。そして、吸引された光ファイバと圧縮エアーは、ダクト１３を介して上記の容器本体部１１に送り出される。
【００１６】
ダクト１３は、伸縮可能で可撓性をもつホースで形成され、吸引ノズル部１２と容器本体部１１とを無理なく連結できるようにする。ダクト１３は、内径が細い方が吸引した光ファイバを効果的に容器本体に送り込みやすいが、その代わり詰まりやすいとい問題があり、また、樹脂製のホースにすると光ファイバとの摩擦により静電気を帯び、絡まりやすくなるという問題がある。ダクト１３としては、ダクト内で吸引した光ファイバが絡まらずにスムーズに移送されることが好ましい。
【００１７】
このため、ダクト１３としては、例えば、導電性を備えたタイフレキホース（tie flexible hose）を用いることができる。具体的な導電性を備えたタイフレキホースとしては、例えば、東邦工業株式会社製のタイフレキホースＶ型ＦＰを用い、静電気の発生を防ぐため接地手段１５を用いて接地する。この他、種々の可撓性および導電性を備えたホースを用いて、ダクト１３を形成することにより、ダクト内での光ファイバの詰まりをなくし、容器本体部への移送をスムーズに行うようにする。なお、容器本体部が金属で形成されている場合も、同等の効果（静電気除去）を得ることができる。
【００１８】
上記では、本発明に係る光ファイバの吸引装置について、光ファイバが断線した際に繰り出され続ける光ファイバを処理する例で説明したが、光ファイバの線引きにおける巻取りボビンの切り替え、端末処理など、あらゆる場面における光ファイバの吸引装置においても適用することができる。
【００１９】
また、本願発明の吸引装置を用いることにより、従来の吸引装置に比べ、吸引成功率が５０％→１００％となった。なお、この場合の「吸引成功率」とは、吸引装置で光ファイバが吸引され、光ファイバがパスライン上に残らず、人の手を掛けずに次の自動線掛けをすることが可能となる確率をいうものとする。
【符号の説明】
【００２０】
１…光ファイバ、２…引取り手段、２ａ…キャプスタンホイール、２ｂ…キャプスタンベルト、３…張力調整手段、３ａ…固定ダンサーローラ、３ｂ…可動ダンサーローラ、４…巻取りボビン、５…光ファイバ吸引装置、６ａ〜６ｃ…ガイドローラ、１１…容器本体部、１１ａ…ファイバ収容室、１１ｂ…エアー排気口、１１ｃ…吸引エアーの導入口、１２…吸引ノズル部、１３…ダクト、１４…圧縮エアー供給チューブ、１５…接地手段。
【図１】
2011075961.tif 000003
【図２】
2011075961.tif 000004